(57)【特許請求の範囲】
【請求項１】
少なくとも前後一対の針床を有し、当該針床の編針に係止される編目を別の編針に目移しが可能な横編機を用いて、統合筒部と、この統合筒部のウエール方向に連続して形成される互いに独立した複数の分岐筒部と、を備える筒状編地を編成するための筒状編地の編成方法であって、
統合筒部を編成する工程αと、
統合筒部の編幅内で、統合筒部の編目が係止されていない前後の針床の編針に対して前後交互に編糸を給糸することで当該編針に係止される複数の係止目を形成する工程βと、
工程βで編針に形成した係止目のうち、一方の針床の編針に係止される係止目を他方の針床の編針に目移しした上で、その目移しした係止目を係止する編針を含む統合筒部の編幅内の一部の編針を用いて編成を行い、統合筒部に続く分岐筒部の一つを編み出す工程γと、
工程γで編成した編目のうち、他方の針床の編針に係止される編目であり、かつ工程βで形成した係止目の形成範囲にある編目を一方の針床の編針に目移しする工程δと、
工程βで編針に形成した係止目のうち、工程γで目移しの対象とならなかった他方の針床の編針に係止される係止目を一方の針床の編針に目移しした上で、その目移しした係止目を係止する編針を含む統合筒部の編幅内の一部の編針を用いて編成を行い、工程γで編み出した分岐筒部に隣接する別の分岐筒部を編み出す工程εと、
を備えることを特徴とする筒状編地の編成方法。
【請求項２】
前記工程γで編み出した一つの分岐筒部の編成コース数と、前記工程εで編み出した別の分岐筒部の編成コース数とを増していく過程で、
各分岐筒部を１〜５コースずつ交互に編成すると共に、
各分岐筒部を編成する際は、その分岐筒部の編成の邪魔とならないように、その分岐筒部の編成領域に重複する他方の分岐筒部の編目を前後いずれかの針床に偏らせて係止させておくことを特徴とする請求項１に記載の筒状編地の編成方法。
【請求項３】
前記工程γで編み出した一つの分岐筒部の編成コース数と、前記工程εで編み出した別の分岐筒部の編成コース数とを増していく過程で、
前後の針床における両分岐筒部の編目が係止される位置を、両分岐筒部の編成領域が編幅方向に重複しないように編幅方向に離すことを特徴とする請求項１または２に記載の筒状編地の編成方法。
【請求項４】
少なくとも前後一対の針床を有し、当該針床の編針に係止される編目を別の編針に目移しが可能な横編機を用いて編成された筒状編地であり、統合筒部と、この統合筒部のウエール方向に連続して形成される互いに独立した複数の分岐筒部と、を備える筒状編地であって、
前記統合筒部側から分岐筒部側に向かって編成コースが積み重ねられることで構成され、かつ、
隣接する二つの分岐筒部が分岐する股の位置で、一方の分岐筒部の第１編成コースにおける一部の編目群と、他方の分岐筒部の第１編成コースにおける一部の編目群と、に交互に絡んで、両編目群を繋ぎ合わせる接合編糸を備えることを特徴とする筒状編地。
【発明の詳細な説明】
【技術分野】
【０００１】
本発明は、統合筒部と、この統合筒部のウエール方向に連続する互いに独立した複数の分岐筒部と、を備える筒状編地を横編機により編成するための筒状編地の編成方法、およびその編成方法を用いて編成された筒状編地に関する。
【背景技術】
【０００２】
ニットウェアの殆どは、互いに独立した複数の分岐筒部と、これら分岐筒部が集合してできた統合筒部と、を備える構成である。例えば、セーターなどの上着は、二つの筒状の袖と筒状の身頃が集合して形成される筒状編地であるし、パンツなどの下着は、股下の二つの足部が集合して一つの胴部に繋がる筒状編地である。また、指袋を備える手袋や靴下も、複数の筒状の指袋が集合してできた筒状編地である。
【０００３】
上記筒状編地を、少なくとも前後一対の針床を備える横編機で無縫製に編成する場合、複数の分岐筒部を個別に編成し、それら分岐筒部を互いに接合した上で統合筒部を編成することが一般的である。例えば、特許文献１では、横編機を使ってニットパンツを編成する場合、筒状の左足部と右足部とを編成し、これら左足部と右足部とを接合してから胴部を筒状に形成している。その接合の際、ニットパンツが人体の形状に沿った立体的な形状となるように、左足部の終端に並ぶ一部の編目群と右足部の終端に並ぶ一部の編目群とを重ね合わせて接合することで、ニットパンツの厚み方向に襠を形成している。
【先行技術文献】
【特許文献】
【０００４】
【特許文献１】特許第３８８７４０８号公報
【発明の概要】
【発明が解決しようとする課題】
【０００５】
しかし、上記特許文献１の編成方法では、襠の形成位置において、接合する各分岐筒部の複数の編目同士を重ね合わせる重ね目が連続して形成される。重ね目は、当該重ね目の近傍が無地の場合、目立つ恐れがあるし、筒状編地の伸びを拘束するため、筒状編地の着心地を損なう恐れもある。
【０００６】
本発明は、上記事情に鑑みてなされたものであり、統合筒部から分岐する複数の分岐筒部の股の位置に襠が形成される筒状編地において、当該襠の位置に重ね目が形成されない筒状編地の編成方法、およびその編成方法を適用して編成された筒状編地を提供することを目的とする。
【課題を解決するための手段】
【０００７】
本発明筒状編地の編成方法は、少なくとも前後一対の針床を有し、当該針床の編針に係止される編目を別の編針に目移しが可能な横編機を用いて、統合筒部と、この統合筒部のウエール方向に連続して形成される互いに独立した複数の分岐筒部と、を備える筒状編地を編成するための筒状編地の編成方法であって、以下の工程α〜εを備えることを特徴とする。
（工程α）統合筒部を編成する。
（工程β）統合筒部の編幅内で、統合筒部の編目が係止されていない前後の針床の編針に対して前後交互に編糸を給糸することで当該編針に係止される複数の係止目を形成する。
（工程γ）工程βで編針に形成した係止目のうち、一方の針床の編針に係止される係止目を他方の針床の編針に目移しした上で、その目移しした係止目を係止する編針を含む統合筒部の編幅内の一部の編針を用いて編成を行い、統合筒部に続く分岐筒部の一つを編み出す。
（工程δ）工程γで編成した編目のうち、他方の針床の編針に係止される編目であり、かつ工程βで形成した係止目の形成範囲にある編目を一方の針床の編針に目移しする。
（工程ε）工程βで編針に形成した係止目のうち、工程γで目移しの対象とならなかった他方の針床の編針に係止される係止目を一方の針床の編針に目移しした上で、その目移しした係止目を係止する編針を含む統合筒部の編幅内の一部の編針を用いて編成を行い、工程γで編み出した分岐筒部に隣接する別の分岐筒部を編み出す。
【０００８】
なお、統合筒部は、一つの筒状編地において複数あっても良い。例えば、後述する実施形態で説明する五本指の靴下などは、統合筒部を複数備える筒状編地の典型例である。
【０００９】
本発明筒状編地の編成方法の一形態として、工程γで編み出した一つの分岐筒部の編成コース数と、工程εで編み出した別の分岐筒部の編成コース数とを増していく過程で、各分岐筒部を１〜５コースずつ交互に編成することが好ましい。そして、各分岐筒部を編成する際は、その分岐筒部の編成の邪魔とならないように、その分岐筒部の編成領域に重複する他方の分岐筒部の編目を前後いずれかの針床に偏らせて係止させておく。
【００１０】
本発明筒状編地の編成方法の一形態として、工程γで編み出した一つの分岐筒部の編成コース数と、工程εで編み出した別の分岐筒部の編成コース数とを増していく過程で、前後の針床における両分岐筒部の編目が係止される位置を、両分岐筒部の編成領域が編幅方向に重複しないように編幅方向に離すことが好ましい。その場合、いずれか一方の分岐筒部のみを目移しにより他方の分岐筒部から離れる方向に移動させても良いし、両分岐筒部を目移しにより互いに離れる方向に移動させても良い。
【００１１】
また、本発明筒状編地は、少なくとも前後一対の針床を有し、当該針床の編針に係止される編目を別の編針に目移しが可能な横編機を用いて編成された筒状編地であり、統合筒部と、この統合筒部のウエール方向に連続して形成される互いに独立した複数の分岐筒部と、を備える。この本発明筒状編地は、統合筒部側から分岐筒部側に向かって編成コースが積み重ねられることで構成されている。そして、本発明筒状編地は、隣接する二つの分岐筒部が分岐する股の位置で、一方の分岐筒部の第１編成コースにおける一部の編目群と、他方の分岐筒部の第１編成コースにおける一部の編目群と、に交互に絡んで、両編目群を繋ぎ合わせる接合編糸を備えることを特徴とする。
【発明の効果】
【００１２】
本発明筒状編地の編成方法によれば、統合筒部にウエール方向に連続して形成される複数の分岐筒部を備える本発明筒状編地を編成でき、その筒状編地における隣接する分岐筒部の股の位置に襠が形成され、しかもその襠の部分に重ね目が形成されない。そのため、隣接する分岐筒部の股の位置における見栄えも良く、当該股において筒状編地の伸縮性が損なわれることもない。
【００１３】
また、隣接する二つの分岐筒部の編成コース数を増していく過程で、各分岐筒部を１〜５コースずつ交互に編成することで、両分岐筒部の編成を円滑にすることができる。仮に、隣接する一方の分岐筒部の編成コースのみを集中的に編成していくと、編針に係止されて編成されずにいる他方の分岐筒部が、一方の分岐筒部の編み下がりを阻害し、編成が滞る恐れがある。このような問題は、各分岐筒部につき５コースぐらいまでなら殆ど生じることがない。
【００１４】
さらに、隣接する二つの分岐筒部の編成コース数を増していく過程で、両分岐筒部の編成領域が編幅方向に重複しないようにすることで、両分岐筒部の一方を編成する際、他方の分岐筒部の編目を前後いずれかの針床に偏らせて係止させておく必要がなくなる。その結果、両分岐筒部を同時期に並行して編成することができ、本発明筒状編地の編成効率が大幅に向上する。
【図面の簡単な説明】
【００１５】
【図１】実施形態に示すニットパンツの概略図である。
【図２】実施形態に示すニットパンツの編成工程図である。
【図３】（Ａ）〜（Ｄ）は、編成過程にあるニットパンツの編成状態を経時的に示す模式図である。
【図４】実施形態に示すニットパンツの股部における部分ループ図である。
【図５】（Ａ）は実施形態に示すセーターの概略図、（Ｂ）〜（Ｅ）は編成過程にあるセーターの編成状態を経時的に示す模式図である。
【図６】（Ａ）は実施形態に示す五本指の靴下の概略図、（Ｂ）〜（Ｅ）は編成過程にある靴下の編成状態を経時的に示す模式図である。
【発明を実施するための形態】
【００１６】
以下、本発明の実施形態を図面に基づいて説明する。本実施形態に記載の編成は、左右方向に延び、かつ前後方向に互いに対向する前後一対の針床を有する２枚ベッド横編機を用いた編成例を説明する。なお、使用する横編機は４枚ベッド横編機であっても良い。
【００１７】
本実施形態では、図１に示す一般的なニットパンツ１の編成に本発明筒状編地の編成方法を適用した例を説明する。ニットパンツ１は、人体の腰部・臀部を覆う筒状の胴部（統合筒部）２と、一点鎖線で示す股部３から下の位置に形成される筒状の左足部（分岐筒部）４および右足部（分岐筒部）５とを備える。また、このニットパンツ１は、両足部４，５の股部３の位置においてニットパンツ１の厚み方向に伸びる襠が形成されており、人体の形状に沿うように立体的に形成されている。このニットパンツ１を編成する場合、一般的には、筒状の足部４，５を独立して編成し、それら足部４，５の股部３の位置に襠が形成されるように両足部４，５を接合して一つの大きな筒状編地である胴部２を編成する。これに対して、本実施形態では、胴部２の上端から編成を開始し、股部３の位置まで胴部２の編成を終えたら、その胴部２に続く独立した二つの足部４，５を図２に示す編成工程に従って編成する。
【００１８】
図２は、ニットパンツ１の胴部２における股部３近傍から足部４，５を編成する際の編成工程図である。図２中、左欄の「Ｓ＋数字」は編成工程の番号、中欄の図面は針床における編目または掛け目の係止状態を、右欄の上下方向の矢印は対向する針床間での目移しを、左右方向の矢印は編成方向を示す。また、図２におけるＦＢは前針床、ＢＢは後針床、▽は給糸口、アルファベットＡ〜Ｚ，Ａ´，Ｂ´は針床の編針の位置、○は編目、Ｖ字は掛け目もしくはタック目を示す。一方、図３は、図２に示す編成工程の要所におけるニットパンツ１の編成状態を示す模式図である。
【００１９】
図２のＳ１には、２針おきの編針を用いて周回編成により胴部２の最終コースを編成した様子が示されている。この状態は、図３（Ａ）に示すように一つの筒状編地であるニットパンツ１の股部３の位置まで胴部２を編成した状態に相当する（図１を合わせて参照）。このＳ１の状態から、以下に示す編成工程に従って足部４，５の編成を開始する。
【００２０】
Ｓ２では、給糸口８を紙面右方向に移動させながら、胴部２の編目が係止されるＦＢの編針Ａ，Ｄに新たな編目、ＦＢの編針Ｇにタック目を形成した後、胴部２の編目が係止されていない前後の針床の編針（ＦＢの編針Ｋ，Ｎ，Ｑ，Ｔ、およびＢＢの編針Ｉ，Ｌ，Ｏ，Ｒ）に対して前後交互に編糸を給糸して掛け目（係止目）を形成する。最後に、胴部２の編目が係止されるＢＢの編針Ｖにタック目を形成する（図３（Ｂ）を合わせて参照）。このＳ２でＦＢとＢＢに交互に形成される掛け目は、後工程で足部４，５を編成する際の足がかりとなる。また、給糸口８から給糸され、これら掛け目を形成するためにＦＢとＢＢとの間でジグザグに掛け渡される編糸は、後述するように、出来上がるニットパンツ１において足部４，５の一部同士を繋ぎ合わせる接合編糸６となる。
【００２１】
なお、上記Ｓ２で形成される掛け目は、後工程において目移しされるので、Ｓ２の前に予め抜き糸で掛け目を形成しておき、Ｓ２でその掛け目に続く新たな編目（係止目）を形成することが好ましい。掛け目よりも編目の方が容易に目移しできるからである。その場合、ニットパンツ１の編成が終了した時点で、抜き糸はニットパンツ１から取り外す。
【００２２】
Ｓ３では、Ｓ２でＢＢの編針Ｒ，Ｏ，Ｌ，Ｉに形成した掛け目を対向するＦＢの編針Ｒ，Ｏ，Ｌ，Ｉに目移しする。そして、Ｓ４で、給糸口８を紙面左方向に移動させた後、紙面右方向に移動させ、さらに紙面左方向に移動させる周回編成により左足部４を編み出す。その周回編成にあたっては、目移しした掛け目が係止される編針（ＦＢの編針Ｉ，Ｌ，Ｏ，Ｒ）と、これら編針よりも紙面左側（編幅方向一端側）にあり、胴部２の編目を係止する編針（ＦＢの編針Ａ，Ｄ，Ｇ）と、これらＦＢの編針にほぼ対向する位置にあり、胴部２の編目を係止する編針（ＢＢの編針Ａ，Ｄ，Ｇ，Ｊ，Ｍ，Ｐ，Ｓ）と、に新たな編目を形成する。
【００２３】
Ｓ５では、右足部５を編み出す準備として、Ｓ４で形成したＦＢの編針Ｉ，Ｌ，Ｏ，Ｒに係止される編目を対向するＢＢの編針Ｉ，Ｌ，Ｏ，Ｒに目移しした後、Ｓ２で形成したＦＢの編針Ｋ，Ｎ，Ｑ，Ｔに係止される掛け目を対向するＢＢの編針Ｋ，Ｎ，Ｑ，Ｔに目移しする。そして、Ｓ６で、紙面右方向から新たな給糸口９を導入して往復移動させる周回編成により右足部５を編み出す（図３（Ｃ）を合わせて参照）。その周回編成にあたっては、ＢＢに目移しした掛け目が係止される編針（ＢＢの編針Ｋ，Ｎ，Ｑ，Ｔ）と、これら編針よりも紙面右側（編幅方向他端側）にあり、胴部２の編目を係止する編針（ＢＢの編針Ｖ，Ｙ，Ｂ´）と、これらＢＢの編針にほぼ対向する位置にあり、胴部２の編目を係止する編針（ＦＢの編針Ｊ，Ｍ，Ｐ，Ｓ、Ｖ，Ｙ，Ｂ´）と、に新たな編目を形成する。
【００２４】
なお、Ｓ５において、Ｓ４で形成したＦＢの編目を対向するＢＢに目移ししたのは、Ｓ６で編成する右足部５の編成領域内で前後の針床間を渡る編糸があると、この編糸が右足部５を構成する編糸に絡んでしまうからである。
【００２５】
Ｓ７では、Ｓ６で形成したＢＢの編針Ｋ，Ｎ，Ｑ，Ｔに係止される編目を対向するＦＢの編針Ｋ，Ｎ，Ｑ，Ｔに目移しした状態を示す。このＳ７に示すように、胴部２に連続して左足部４と右足部５とが完全に独立して編み出される。
【００２６】
以降は、足部４，５の編成コース数を増していき、足部４，５を完成させれば良い（図３（Ｄ）を合わせて参照）。その際、Ｓ３〜Ｓ５に示す編成と同様に、足部４，５のいずれか一方の足部を編成するとき、その足部を編成する編糸と、他方の足部の編糸が絡み合わないようにする。例えば、右足部５を編成する場合、左足部４の編目のうち、右足部５の編成領域に重複する編目をＢＢに寄せておき、右足部５を構成する編糸と左足部４を構成する編糸とが絡み合わないようにする。左足部４の編目を寄せておくＢＢは、Ｓ６で右足部５を編み出す際、Ｓ５で左足部４を寄せておいた針床である。ここで、左足部４と右足部５は、１〜５コースずつ交互に編成することが好ましい。
【００２７】
また、足部４，５を編成していく過程で、足部４，５の編成領域同士が編幅方向に重複しないように、足部４，５の編目が係止される位置を紙面左右方向に徐々に離していくことが好ましい。ここで、足部４，５の径が徐々に小さくなるニットパンツ１を編成するのであれば、足部４，５の編幅を徐々に狭くしていくことで、足部４，５の編成領域が重複しないようにすることもできる。
【００２８】
以上説明した編成工程を経て得られたニットパンツ１では、当該ニットパンツ１の股部３の部分拡大ループ図である図４に示すように、左足部４の第１編成コースにおける一部の編目群と右足部５の第１編成コースにおける一部の編目群とを交互に縫い取るように絡み、両編目群を繋ぎ合わせる接合編糸６により、ニットパンツ１の両足部４，５が分岐する股の位置に襠が形成された状態で両足部４，５が接合されているのがわかる。この接合編糸６は、重ね目を形成することなく股の位置に襠ができるように両足部４，５を繋ぎ合わせているため、その繋ぎ目の部分がニットパンツ１において殆ど目立たないし、その繋ぎ目により股の位置の伸縮性が損なわれることもない。また、この接合編糸６の両端側はそれぞれ、胴部２と左足部４とに繋がっているので（図２のＳ２〜Ｓ４参照）、ニットパンツ１から外れてしまうこともなく、接合編糸６により足部４，５の接合を強固に保持できる。
【００２９】
なお、本発明の実施形態は、上述したニットパンツの編成に限定されるわけではなく、本発明の要旨を逸脱しない範囲で適宜変更可能である。例えば、セーターや靴下、手袋の編成に本発明筒状編地の編成方法を適用しても良い。代表してセーターの編成と靴下の編成を、それぞれ図５と図６を参照しつつ簡単に説明する。
【００３０】
図５（Ａ）に示すセーター１０を編成するのであれば、セーター１０のネックホールから一点鎖線で示す脇下までに相当する筒状編地（統合筒部）１０１を給糸口８を用いてネックホール側から編成する（図５（Ｂ）参照）。次いで、筒状編地１０１の編幅内に、図２のＳ２で示すように前後の針床に交互に掛け目を形成する（図５（Ｂ）参照）。そして、それら掛け目を足掛かりにし、給糸口８に加えて給糸口９を導入して、独立した二つの分岐筒部である左袖１２と筒部１５を編み出す（図５（Ｃ）参照）。さらに、筒部１５の編幅内に前後の針床に交互に掛け目を形成して（図５（Ｃ）参照）、それら掛け目を足掛かりにし、給糸口９に加えて給糸口７を導入し、独立した二つの分岐筒部である身頃１１と右袖１３を編み出す（図５（Ｄ）参照）。以降は、図５（Ｅ）に示すように、身頃１１と袖１２，１３を編み進めていけば、身頃１１と袖１２，１３との股の位置に襠が形成されたセーター１０を編成することができる。なお、筒状編地１０１から、身頃１１と左袖１２と右袖１３の３つの分岐筒部を一度に形成しても良い。
【００３１】
一方、図６（Ａ）に示す靴下２０を編成するのであれば、靴下２０の履き口から統合筒部である五本胴２０５を編成する。次いで、五本胴２０５の編幅内に前後の針床に交互に掛け目を形成し（図６（Ｂ）参照）、それら掛け目を足掛かりにして、独立した二つの分岐筒部である四本胴２０４と小指の指袋２５を編成する（図６（Ｃ）参照）。四本胴２０４と小指の指袋２５を所定のコース数編成したら、四本胴２０４を新たな統合筒部として規定し、その統合筒部の編幅内に前後の針床に交互に掛け目を形成する（図６（Ｄ）参照）。そして、それら掛け目を足掛かりにして、独立した二つの分岐筒部である三本胴２０３と薬指の指袋２４を編成する（図６（Ｅ）参照）。以降は、三本胴２０３を新たな統合筒部として規定し、二本胴２０２と中指の指袋２３を編成し、さらに二本胴２０２を新たな統合筒部として規定し、親指の指袋２１と人差指の指袋２２を編成すれば、各指袋２１〜２５の股の位置に襠が形成された靴下２０を編成することができる。なお、五本胴２０５から、五つの指袋２１〜２５を一度に形成しても良い。
【符号の説明】
【００３２】
Ａ〜Ｚ，Ａ´，Ｂ´  編針
ＦＢ  前針床  ＢＢ  後針床
１  ニットパンツ
２  胴部  ３  股部  ４  左足部  ５  右足部  ６  接合編糸
７，８，９  給糸口
１０  セーター
１１  身頃  １２  左袖  １３  右袖  １５  筒部
１０１  筒状編地
２０  靴下
２１〜２５  指袋
２０２  二本胴  ２０３  三本胴  ２０４  四本胴  ２０５  五本胴
【図１】
0005443250.tif 000002
【図２】
0005443250.tif 000003
【図３】
0005443250.tif 000004
【図４】
0005443250.tif 000005
【図５】
0005443250.tif 000006
【図６】
0005443250.tif 000007